(57)【要約】【課題】  電源投入からオペレーティングシステムが起動するまでの間、本体が正常に起動しているにもかかわらずユーザに不安を起こさせるのを防止できる内視鏡装置及びその表示手段に対する表示制御方法を提供する。【解決手段】  電源投入のために電源スイッチ１９がＯＮされると、本体ユニット２のＣＰＵ１６は、第１メモリ１７に格納されているＯＳのソフトウェアの読込みを開始し、起動させる動作を開始する。電源の投入と同時に、第２スーパインポーズ部２３は第２メモリ２２に格納されている第２ロゴ画像のデータを読み出し、表示駆動部２５を介して表示部２４に送る。ＯＳが起動するまでの間、第２ロゴ画像の表示を瞬時に表示するようにして、ユーザが不安を抱くのを有効に防止できるようにした。【選択図】  図１
2006334244.tif 000002
【特許請求の範囲】
【請求項１】
撮像手段を内蔵した挿入部と、前記撮像手段により撮像された撮像信号に対する信号処理を行う信号処理手段と、前記信号処理手段により生成された撮像画像を表示する表示手段と、所定のソフトウェアによるオペレーティングシステムの起動上で制御動作を行う制御手段と、
前記内視鏡装置の電源が投入され、前記オペレーティングシステムが起動する時間前に、予め記憶手段に記憶されている所定の情報を読み出し、前記表示手段に前記所定の情報を表示させる制御を行う表示情報制御手段を設けたことを特徴とする内視鏡装置。  
【請求項２】
前記制御手段は、前記オペレーティングシステムが起動後には、前記表示手段に表示される前記所定の情報の表示を停止し、前記撮像手段により撮像された撮像画像を前記表示手段で表示する制御動作を行うことを特徴とする請求項１に記載の内視鏡装置。
【請求項３】
前記制御手段又は前記表示情報制御手段は、前記表示手段に前記所定の情報の表示後に前記撮像画像の表示、若しくは前記表示手段に前記所定の情報の表示後にさらに第２の情報を表示させた後に、前記撮像画像を表示させる制御動作を行うことを特徴とする請求項２に記載の内視鏡装置。
【請求項４】
撮像手段を内蔵した挿入部と、所定のソフトウェアによるオペレーティングシステムの起動上で制御処理を行うＣＰＵとを備えた内視鏡装置の表示手段に対する表示制御方法において、
電源の投入により、前記オペレーティングシステムを起動するために前記ＣＰＵが前記ソフトウェアの読込み処理を行う第１のステップと、
前記第１のステップにより、起動した前記オペレーティングシステム上で前記ＣＰＵが制御処理を行う第２のステップと、
前記第１のステップの処理と殆ど同時に開始し、少なくとも前記第２のステップが開始する時間よりも前に、予め記憶手段に格納されている所定の情報を読み出し、前記表示手段に前記所定の情報を表示する処理を行う第３のステップと、
前記第２のステップの開始後において、前記第３のステップの処理を停止し、前記撮像手段による撮像画像を前記表示手段に表示する処理を行う第４のステップと、
を備えたことを特徴とする内視鏡装置の表示手段に対する表示制御方法。
【発明の詳細な説明】
【技術分野】
【０００１】
本発明は、内視鏡を用いて被検体内の検査を行う内視鏡装置及びその表示手段に対する表示制御方法に関する。
【背景技術】
【０００２】
近年、内視鏡は工業用分野その他において、広く用いられるようになった。従来例として、例えば特開２００２−３４５７３８号公報、特開２００３−３３７２８９号公報に開示されているような表示手段を備えた内視鏡装置がある。  
【特許文献１】特開２００２−３４５７３８号公報
【特許文献２】特開２００３−３３７２８９号公報
【発明の開示】
【発明が解決しようとする課題】
【０００３】
従来、内視鏡装置の電源を入れてからオペレーティングシステムが起動するまでに時間がかかり、そのため、表示手段にロゴ画像が表示されるまでに例えば数秒必要となり、そのロゴ画像が表示されるまでの間、表示手段にブルーバック画像を表示していた。  
このため、上述の従来は、オペーレーティングシステムが起動している間、表示手段に表示されているブルーバック画像を見つづけていなければならず、正常に起動しているか否かの判断に時間を要していた。
【０００４】
（発明の目的）
本発明は、上述した点に鑑みてなされたもので、電源投入からオペレーティングシステムが起動するまでの間、本体が正常に起動しているにもかかわらずユーザに不安を起こさせないようにできる内視鏡装置及びその表示手段に対する表示制御方法を提供することを目的とする。
【課題を解決するための手段】
【０００５】
本発明は、撮像手段を内蔵した挿入部と、前記撮像手段により撮像された撮像信号に対する信号処理を行う信号処理手段と、前記信号処理手段により生成された撮像画像を表示する表示手段と、所定のソフトウェアによるオペレーティングシステムの起動上で制御動作を行う制御手段と、
前記内視鏡装置の電源が投入され、前記オペレーティングシステムが起動する時間前に、予め記憶手段に記憶されている所定の情報を読み出し、前記表示手段に前記所定の情報を表示させる制御を行う表示情報制御手段を設けたことを特徴とする。  
上記構成により、電源投入からオペレーティングシステムが起動するまでに時間がかかる場合にも、その起動前に所定の画像が表示手段に表示されるようにして、ユーザが正常に起動していることを速やかに判断できるようにしている。
【発明の効果】
【０００６】
本発明によれば、電源投入からオペレーティングシステムが起動するまでの間、本体が正常に起動しているにもかかわらずユーザに不安を起こさせないようにできる。
【発明を実施するための最良の形態】
【０００７】
以下、図面を参照して本発明の実施例を説明する。  
【実施例１】
【０００８】
図１ないし図４は本発明の実施例１に係り、図１は本発明の実施例１に係る内視鏡装置の構成を示し、図２は本実施例における電源投入により撮像画像が表示されるまでの一連の処理内容を示し、図３は電源投入により表示部に順次表示される画像を示し、図４は電源投入後における本実施例の概略の動作のタイミング図を示す。  
図１に示すように本発明の実施例１に係る内視鏡装置１は、化学プラント等の撮像対象物４内に挿入され、その内部を内視鏡検査する内視鏡装置本体ユニット（以下、単に本体ユニットと略記）２と、この本体ユニット２とコネクタ部５で接続され、表示を行う表示ユニット３とから構成される。  
この本体ユニット２は、被検体内に挿入される挿入部６を有し、この挿入部６の先端部には照明窓７と観察窓（撮像窓）８とが設けてある。照明窓７の内側には、例えば白色光を出射する発光ダイオード（ＬＥＤと略記）９が配置され、ＬＥＤ駆動部１０からの駆動電源で発光し、この照明窓７に取り付けた照明レンズを経て照明光を出射し、撮像対象物４内部を照明する。
【０００９】
なお、ＬＥＤ９の代わりに照明光を伝送するライトガイドを設け、光源部からの照明光を伝送してその先端面から出射する構成にしても良い。  
観察窓８には対物レンズ１１が取り付けられており、その結像位置に配置された撮像素子としての例えば電荷結合素子（ＣＣＤと略記）１２に、撮像対象物４の内部の光学像を結像する。  
このＣＣＤ１２は、挿入部６内を挿通された信号線を介して信号処理部１３に接続されており、ＣＣＤ１２により光電変換された撮像信号に対する信号処理を行い、デジタルの映像信号データを生成する。  
この映像信号データは、選択或いは合成（重畳）を行う第１スーパインポーズ部１４を経てエンコーダ／ドライバ部１５に出力される。この第１スーパインポーズ部１４は、信号処理部１３側からの映像信号データと、以下に説明するＣＰＵ１６側から出力される第１ロゴ画像のデータを選択或いは合成してエンコーダ／ドライバ部１５に出力する。エンコーダ／ドライバ部１５は、第１スーパインポーズ部１４から出力される映像信号データ或いは第１ロゴ画像のデータを、Ｓ−Ｖｉｄｅｏフォーマット等の映像信号に変換して表示ユニット３側に出力する。
【００１０】
上記信号処理部１３、第１スーパインポーズ部１４及びエンコーダ／ドライバ部１５は、内視鏡装置１内の信号処理部１３を含む各部に対する制御を行う制御手段としての中央処理装置（ＣＰＵと略記）１６と接続され、ＣＰＵ１６は各部の動作を制御する。また、このＣＰＵ１６は、所定のオペレーティングシステム（ＯＳと略記）の上で動作し、このＣＰＵ１６は、そのＯＳに対応する所定のソフトウェアと共に、第１ロゴ画像のデータを格納した第１メモリ１７と接続されている。
【００１１】
この第１ロゴ画像のデータは、例えばこの本体ユニット２の商品名、製造会社名等のマークと共に、本体ユニット２の機種名を伴った画像情報であり、この第１ロゴ画像が表示されることにより、ユーザは、その本体ユニット２の機種等を知ることができる。また、ＣＰＵ１６は、この第１ロゴ画像を表示する時間を計測するタイマ機能を有し、タイマ機能により一定時間が経過すると、第１ロゴ画像を出力することを停止し、ＣＣＤ１２で撮像した画像を表示するように表示切り替えを制御する。
【００１２】
また、この本体ユニット２には、本体ユニット２内の各部に直流電圧Ｖｃｃ１の電力を供給すると共に、表示ユニット３にも直流電圧Ｖｃｃ２の電力を供給する電源部１８が設けてある。この電源部１８は、電源スイッチ１９を介して外部の商用電源２０と接続される。  
そして、電源スイッチ１９がＯＮにされると、ＣＰＵ１６は、第１メモリ１７からＯＳのソフトウェアを読込み、ＯＳが起動して動作状態になると、この第１メモリ１７に格納された第１ロゴ画像を第１スーパインポーズ部１４に送り、さらにエンコーダ／ドライバ部１５を経て表示ユニット３側に送出する。  
この表示ユニット３は、エンコーダ／ドライバ部１５からの映像信号を、デジタルの映像信号データに変換して出力するデコーダ部２１と、第２ロゴ画像のデータを格納した第２メモリ２２と、タイマ機能を持ち、第２メモリ２２のデータを読込み、第２ロゴ画像のデータとデコーダ部２１からの映像信号データを選択または合成して映像信号データとして出力する表示情報制御手段としての第２スーパインポーズ部２３と、このスーパインポーズ部２３からのビデオデータを表示部２４に表示できるように駆動する表示駆動部２５と、この表示駆動部２５からの信号で画像の表示を行う液晶ディスプレイ（ＬＣＤと略記）等の表示部２４とから構成される。
【００１３】
電源が投入された場合、本体ユニット２のＣＰＵ１６は、第１メモリ１７に格納されたＯＳのソフトウェアを読み込みを開始する。そして、そのＯＳが起動後にそのＯＳ上でＣＰＵ１６が各種の制御動作を開始するが、ＯＳの起動までに時間がかかるため、本実施例においては、ＣＰＵ１６の制御によらないで、電源が投入された場合には直ちに所定の情報としてのロゴ画像を表示できるように第２メモリ２２に予め第２ロゴ画像のデータを格納している。この第２ロゴ画像のデータは、例えば表示ユニット３の商品名、製造会社名等のマークである。この第２ロゴ画像は、ユーザが見た場合、本体が起動している間、本体の起動とは切り離して表示させる際の情報となる。  
そして、電源が投入された場合には、表示情報制御手段としての第２スーパインポーズ部２３は、直ちに第２メモリ２２からこの第２ロゴ画像のデータを読み出して表示駆動部２５を介して表示部２４で表示するようにしている。
【００１４】
また、この第２スーパインポーズ部２３は、タイマ機能を有し、電源投入後、ＯＳが起動し、ＯＳ起動上でＣＰＵ１６が動作を開始可能な一定時間の後には、第２メモリ２２からの第２ロゴ画像のデータを読み込むのを停止し、本体ユニット２側の第１メモリ１７からの第１ロゴ画像のデータを表示駆動部２５側に出力し、表示部２４に第１ロゴ画像を表示させるように表示切り替えを制御する。  
つまり、電源が投入された場合には、図３に示すように第２メモリ２２からの第２ロゴ画像のデータを読み出して電源投入時から時間をかけることなく瞬時に第２ロゴ画像を表示させる。そして、ＯＳが起動してＣＰＵ１６が制御動作を開始できる一定時間後には、第１メモリ１７からの第１ロゴ画像のデータを読み出して表示させる。その後、ＣＣＤ１２で撮像した撮像画像を表示させるようにする。
【００１５】
このような構成による本実施例の動作として、（表示手段としての表示部２４に撮像画像を表示するまでに至る）電源投入時の表示手段に対する表示方法の動作を図２を参照して説明する。図１に示すように例えば内視鏡装置１を商用電源２０に接続し、図２のステップＳ１に示すように電源スイッチ１９をＯＮにする。すると、ステップＳ２に示すように電源部１８の直流電力が本体ユニット２と表示ユニット３の各部に供給される。  
そして、本体ユニット２と表示ユニット３の各部は動作を開始する。この場合、ステップＳ３に示すように本体ユニット２内のＣＰＵ１６は、第１メモリ１７に格納されているＯＳのブートローダ（ソフトウェア）の読込みを開始する。なお、ブートローダを読込み、起動するまでにしばらく時間がかかる。ブートローダの読込みと同時に、表示ユニット３の第２スーパインポーズ部２３は、第２メモリ２２内の第２ロゴ画像のデータを読込み、その第２ロゴ画像を表示駆動部２５を介して、表示部２４に送り、その表示面に第２ロゴ画像を表示させる。
【００１６】
つまり、図３に示すように最初の第２ロゴ画像は、電源投入から殆ど瞬時に表示されるようになる。従って、ユーザは、電源投入後、ブルーバック画像が表示されるようなことなく、内視鏡装置１の電源が正常に投入されたことに対応した表示ユニット３に対応した第２ロゴ画像が瞬時に表示されるので、直ちに電源が正常に投入されたことを確認することができる。また、ブルーバック画像を表示する場合よりも、第２ロゴ画像の表示ができる表示形態にでき、表示の品位を向上することができる。  
ステップＳ４に示すように上記第２スーパインポーズ部２３は、第２ロゴ画像の表示を開始すると、その内部のタイマを起動し、予め設定された一定時間経過したかの時間計測を開始し、一定時間の経過を待つ。  
ステップＳ４における一定時間の経過後においては、ステップＳ５に示す状態になっており、第２スーパインポーズ部２３は、ステップＳ６の処理を行うことになる。
【００１７】
ステップＳ４における一定時間の経過後においては、ステップＳ５に示すようにＣＰＵ１６はブートローダを起動済みであり、また第１メモリ１７内の第１ロゴ画像のデータを読込み済みでもある。そして、ＣＰＵ１６によってその第１ロゴ画像の映像信号は、第１スーパインポーズ部１４及びエンコーダ／ドライバ部１５を経由して表示ユニット３のデコーダ部２１に入力されている状態になっている。  
そして、ステップＳ６に示すように第２スーパインポーズ部２３は、第２メモリ２２からの第２ロゴ画像の読込みを止めて、デコーダ部２１側の第１ロゴ画像を取り込み、表示駆動部２５を経て表示部２４に出力し、表示部２４に第１ロゴ画像が表示されるように切り替える。ユーザは、表示部２４に（本体ユニット２に対応した）第１ロゴ画像が表示されることにより、内視鏡検査に実際に使用している本体ユニット２の機種等の確認ができる。  
また、ＣＰＵ１６は、上記のようにブートローダを起動し、第１メモリ１７内の第１ロゴ画像のデータの読込を開始した後に、例えばＣＰＵ１６内部のタイマを起動し、ステップＳ７に示すように一定時間の経過を待つ状態となる。この一定時間は、例えば数秒程度に設定されている。
【００１８】
この一定時間が経過すると、ステップＳ８に示すようにＣＰＵ１６は、第１ロゴ画像のデータを出力する処理動作を止める。すると、ステップＳ９に示すように第１スーパインポーズ部１４は、信号処理部１３からのＣＣＤ１２により撮像した撮像画像のデータを出力し、エンコーダ／ドライバ部１５、デコーダ部２１、第２スーパインポーズ部２３、表示駆動部２５を経由して表示部２４に撮像画像を出力する。そして、その撮像画像が表示部２４で継続的に表示されるようになる。そして、ユーザは、表示部２４に表示される撮像画像を観察しながら、撮像対象物４の内部を内視鏡検査する。  
従って、図３に示すように電源が投入されると、殆ど瞬時に表示部２４の表示面に第２ロゴ画像が表示され、その後ＣＰＵ１６がブートローダの読込等を行って所定の制御動作状態に達すると、第２ロゴ画像の表示から第１ロゴ画像の表示に遷移する。さらにこの第１ロゴ画像の表示が数秒程度の行われた後、第１ロゴ画像の表示からＣＣＤ１２により撮像された撮像画像の表示へと遷移することになる。
【００１９】
本実施例における上記動作の概略のタイミング図は、図４のようになる。電源スイッチ１９がＯＮされると、ＣＰＵ１６等に電力が供給される状態となり、ＣＰＵ１６は、第１メモリ１７に格納されたソフトウェアとしてのブートローダの読込を開始し、そのプログラム内容に従って所定の制御動作を開始（実行）する。この場合、所定の制御動作を開始するまでに、ＣＰＵ１６の処理能力にも依存するが、例えばｔａ秒程度かかってしまう。  一方、第２スーパインポーズ部２３は、電力が供給されると、直ちに第２メモリ２２に格納された第２ロゴ画像のデータを読込み、その第２ロゴ画像を表示駆動部２５を経由して表示部２４で表示させる。その後第２スーパインポーズ部２３は、ｔａ秒より若干長くなるように設定された一定時間ｔｂが経過するのを待つ。
【００２０】
つまり、表示部２４には、電源が投入されると、殆ど瞬時に第２ロゴ画像が表示される。その後、時間ｔａ秒が経過すると、ＣＰＵ１６は、第１メモリ１７から第１ロゴ画像のデータを読込み、第１スーパインポーズ部１４、エンコーダ／ドライバ部１５を経て、デコーダ部２１に送る最初の制御動作を行える状態になっている。  
一方、第２スーパインポーズ部２３は、上記一定時間ｔｂの経過後、第２ロゴ画像のデータを表示駆動部２５側に送ることを止め、デコーダ部２１から出力される第１ロゴ画像のデータを表示駆動部２５を経て表示部２４に出力し、表示部２４には第１ロゴ画像が表示されるようになる。  
そして、ＣＰＵ１６は、上記第１ロゴ画像のデータを第１スーパインポーズ部１４に出力してから例えば数秒程度の時間ｔｃの経過を待って、この第１ロゴ画像のデータを第１スーパインポーズ部１４に出力することを止め、信号処理部１３の出力信号、つまりＣＣＤ１２により撮像された撮像画像（内視鏡画像）を第１スーパインポーズ部１４等を経て表示部２４に出力するように制御し、表示部２４にはＣＣＤ１２で撮像した内視鏡画像が表示される状態になる。
【００２１】
このような作用を行う本実施例によれば、電源スイッチ１９をＯＮにすると、ＣＰＵ１６が所定の制御動作を開始するまでに時間がかかるような場合においても、電源の投入により第２スーパインポーズ部２３は、予め第２メモリ２２に格納しておいた第２ロゴ画像のデータを読み出し、その第２ロゴ画像を表示部２４で表示させる画像表示制御処理を行うようにしているので、ユーザは、電源スイッチ１９をＯＮした場合に瞬時に表示される第２ロゴ画像により、本体の起動している間、本体が正常に起動しているにもかかわらず不安を抱くのを防止することができる。  
また、ロゴ画像の表示により、ブルーバック画像の表示よりも表示形態の品位を向上することができる。  
また、本体ユニット２側のハードウェアの変更を必要としないで、表示ユニット３側に表示ユニット３のロゴ画像のデータの一時格納手段としての第２メモリ２２と、電源投入時にそのデータを選択して表示駆動部２５側に出力する表示情報制御手段としての第２スーパインポーズ部２３を設けることにより、比較的に簡単な構成で実現することができる。
【実施例２】
【００２２】
次に本発明の実施例２を図５及び図６を参照して説明する。図５は本発明の実施例２に係る内視鏡装置１Ｂの構成を示すブロック図である。本実施例は、実施例１の内視鏡装置１と一部が異なるのみの構成であるため、異なる部分の構成を説明する。  
図５に示す本実施例の内視鏡装置１Ｂは、図１に示す実施例１の内視鏡装置１と同様に本体ユニット２と表示ユニット３とがコネクタ部５で接続される構成である。実施例１では、第２スーパインポーズ部２３は、電力が供給されて第２メモリ２２から第２ロゴ画像のデータを読み出し、表示駆動部２５を経て表示部２４に出力する制御動作を開始した後は、一定時間が経過するのを待つ状態になるが、本実施例では第２スーパインポーズ部２３は、ＣＰＵ１６から第１ロゴ画像を表示することの通知を受ける信号を待つ状態になる。  
そして、この通知の信号を受けると、実施例１の場合と同様に第２メモリ２２から第２ロゴ画像のデータを表示駆動部２５を経て表示部２４に出力する制御動作を止めて、デコーダ部２１から出力される第１ロゴ画像のデータを表示駆動部２５を経て表示部２４に出力し、表示部２４に第１ロゴ画像が表示されるようにする。
【００２３】
従って、図５に示す実施例２では実施例１の構成において、ＣＰＵ１６と第２スーパインポーズ部２３は信号線で接続され、ＣＰＵ１６は、この信号線により通知する信号を送る。また、第２スーパインポーズ部２３は、実施例１におけるタイマ機能を有しない構成で済む。その他の構成を実施例１と同様である。  
本実施例における動作を示すフローチャートは図６に示すようになる。図６に示す動作は、図２のフローチャ−トにおいて、ステップＳ４，Ｓ５がステップＳ１１、Ｓ１２のように変更されている。  
つまり、ステップＳ３の処理を行った後、ステップＳ１１においてＣＰＵ１６は、第１メモリ１７内のブートローダを読込み、ブートローダを起動する（この間、表示部２４には第２ロゴ画像が表示されている状態である）。
【００２４】
そして、その起動後にこの第１メモリ１７内の第１ロゴ画像のデータを読込む。読み込まれたこの第１ロゴ画像の映像信号は、第１スーパインポーズ部１４、エンコーダ／ドライバ部１５を経由してデコーダ部２１に入力される。また、ＣＰＵ１６は、第１ロゴ画像のデータを読込んで、第１スーパインポーズ部１４側に出力した後、第１ロゴ画像を表示する通知の信号を行う第２スーパインポーズ部２３に送る。  
ステップＳ１１の処理が行われている間、ステップＳ１２に示すように第２スーパインポーズ部２３は、ＣＰＵ１６から第１ロゴ画像を表示する通知の信号を受けるのを待つ状態になる。そして、ＣＰＵ１６からこの通知の信号を受けとると、ステップＳ６の処理を行うようになる。その他は、実施例１と同様の作用となる。  
本実施例によれば、実施例１とほぼ同じ作用効果を有する。
【実施例３】
【００２５】
次に本発明の実施例３を図７及び図８を参照して説明する。図７は実施例３の内視鏡装置１Ｃの構成を示す。実施例１及び実施例２においては、本体ユニット２と表示ユニット３とが別体でコネクタ部５で接続された構成であったが、本実施例は、これらが一体化された構成である。  
図７に示す本実施例の内視鏡装置１Ｃは、図１の内視鏡装置１において、第１スーパインポーズ部１４の出力信号を第２スーパインポーズ部２３を通して表示駆動部２５に入力する構成にしている。この第２スーパインポーズ部２３は、実施例１の場合と同様にタイマ機能を有し、電力が供給されると第２メモリ２２から第２ロゴ画像のデータを読込む。そして、この第２スーパインポーズ部２３により読み込まれた第２ロゴ画像のデータは、表示駆動部２５を経由して表示部２４に出力される。
【００２６】
つまり、本実施例の内視鏡装置１Ｃは、実施例１の内視鏡装置１におけるコネクタ５を用いないで、本体ユニット２と表示ユニット３の両筐体を共通にした筐体３１とし、その内部における第２スーパインポーズ部２３の配置位置を上記のように変更している。また、本実施例では、電源部１８は共通の直流電圧Ｖｃｃ１の電力を、表示駆動部２５、表示部２４に供給する構成にしている。その他の構成は実施例１と同様である。  
本実施例における動作は、図８に示すフローチャートのようになる。図８に示す動作は、図２のフローチャートにおいて、本体ユニット２と表示ユニット３の読み替えと、第２スーパインポーズ部２３の配置位置の変更に対応した変更を行う副次的な変更となり、基本的な動作は実施例１と同じとなる。  
図７に示すように内視鏡装置１を商用電源２０に接続し、図８のステップＳ１に示すように電源スイッチ１９をＯＮにする。すると、ステップＳ２′に示すように電源部１８の電力が内視鏡装置１Ｃ内の各部に供給される。
【００２７】
そして、内視鏡装置１Ｃ内の各部は動作を開始する。この場合、ステップＳ３′に示すようにＣＰＵ１６は、第１メモリ１７に格納されているＯＳのブートローダ（ソフトウェア）を読込みを開始する。ブートローダの読込みと同時に、第２スーパインポーズ部２３は、第２メモリ２２内の第２ロゴ画像のデータを読込み、その第２ロゴ画像を、表示駆動部２５を介して、表示部２４に送る。そして、その表示面に第２ロゴ画像を表示させる。  つまり、図３に示すように最初の第２ロゴ画像は、電源投入から殆ど瞬時に表示されるようになる。従って、ユーザは、電源投入後、内視鏡装置１Ｃの電源が正常に投入されたことに対応した第２ロゴ画像が瞬時に表示されるので、本体が正常に起動しているにもかかわらず、不安を抱くのを有効に防止することができる。  
次のステップＳ４に示すように上記第２スーパインポーズ部２３は、第２ロゴ画像の表示を開始すると、その内部のタイマを起動し、予め設定された一定時間経過したかの時間計測を開始し、一定時間の経過を待つ。
【００２８】
ステップＳ４における一定時間の経過後においては、ステップＳ５′に示す状態になっており、第２スーパインポーズ部２３は、ステップＳ６′の処理を行うことになる。  
ステップＳ４における一定時間の経過後においては、ステップＳ５′に示すようにＣＰＵ１６はブートローダを起動済みであり、また第１メモリ１７内の第１ロゴ画像のデータを読込み済みでもある。そして、ＣＰＵ１６により第１ロゴ画像の映像信号は、第１スーパインポーズ部１４を経て第２スーパインポーズ部２３に入力されている状態になっている。  
そして、ステップＳ６′に示すように第２スーパインポーズ部２３は、第２メモリ２２からの第２ロゴ画像の読込みを止めて、第１スーパインポーズ部１４から入力される第１ロゴ画像を取り込み、エンコーダ／ドライバ部１５、デコーダ部２１、表示駆動部２５を経て表示部２４に出力し、表示部２４で第１ロゴ画像が表示されるように切り替える。
【００２９】
また、ＣＰＵ１６は、上記のようにブートローダを起動し、第１メモリ１７内の第１ロゴ画像のデータの読込を開始した後に、例えばＣＰＵ１６内部のタイマを起動する。そして、ステップＳ７に示すように一定時間の経過を待つ状態となる。この一定時間は、例えば数秒程度に設定されている。  
一定時間が経過すると、ステップＳ８に示すようにＣＰＵ１６は、第１ロゴ画像のデータを出力する処理動作を止める。そして、ステップＳ９′に示すように第１スーパインポーズ部１４は、信号処理部１３からのＣＣＤ１２により撮像した撮像画像のデータを出力し、この撮像画像を第２スーパインポーズ部２３を通し、さらに表示駆動部２５を経由して表示部２４に出力する。そして、その撮像画像を表示部２４に表示させる。
【００３０】
従って、図３に示すように電源が投入されると、殆ど瞬時に表示部２４の表示面に第２ロゴ画像が表示され、その後ＣＰＵ１６がブートローダの読込等を行って所定の動作状態に達すると、第２ロゴ画像の表示から第１ロゴ画像の表示に遷移する。さらにこの第１ロゴ画像の表示が一定時間行われた後、第１ロゴ画像の表示からＣＣＤ１２により撮像された撮像画像の表示へと遷移することになる。  
本実施例は、実施例１とほぼ同様の効果を有する。  
本実施例は、実施例１の内視鏡装置１における本体ユニット２と表示ユニット３を一体化した構成に対応するが、本実施例の変形例として実施例２の内視鏡装置１Ｂにおける本体ユニット２と表示ユニット３を一体化した構成にしても良く、その構成を図９に示す。  図９に示す内視鏡装置１Ｄは、図７に示す内視鏡装置１Ｃにおいて、ＣＰＵ１６から信号線により第１ロゴ画像を表示させる通知を行う信号を第２スーパインポーズ部２３に印加する構成になっており、第２スーパインポーズ部２３は、一定時間の経過を計測するタイマ機能を必要としない構成になっている。
【００３１】
本変形例の動作のフローチャートは図１０のようになる。図１０の動作は、図８のフローチャートにおいて、ステップＳ３′の後のステップＳ４、Ｓ５′の処理内容をステップＳ１１′、Ｓ１２のように変更した処理内容となる。このように一部の処理内容のみを変更しているので、変更している処理内容のみを示す。  
つまり、図８におけるステップＳ３の処理の後、図１０に示すステップＳ１１′の処理を行う。このステップＳ１１′では、ＣＰＵ１６は、ブートローダ（ソフロウェア）を起動し、第１メモリ１７内の第１ロゴ画像のデータを読込み、この第１ロゴ画像の映像信号を第１スーパインポーズ部１４から第２スーパインポーズ部２３に出力する。  
この間、第２スーパインポーズ部２３は、ステップＳ１２に示すようにＣＰＵ１６から第１ロゴ画像を表示する通知の信号を待つ。  
そして、この通知を受け取ると、図８に示すステップＳ６′の処理に進むことになる。このステップＳ６′以降の処理は図８と同じである。本変形例は、実施例２とほぼ同様の効果を有する。
【実施例４】
【００３２】
次に本発明の実施例４を図１１及び図１２を参照して説明する。本実施例は、実施例３における図７或いは図９のように本体ユニット２と表示ユニット３を一体化した構成の場合に適する。  
本実施例では、例えば図７における第２メモリ２２に格納する第２ロゴ画像のデータとして、内視鏡装置の機種等の情報を含むもの、例えば第１ロゴ画像に近いもの（以下では単にロゴ画像とする）とし、図７或いは図９における第１メモリ１７に格納していた第１ロゴ画像のデータの格納を不要としている。  
つまり、電源投入後に、第２スーパインポーズ部２３は、第２メモリ２２に格納されたこのロゴ画像を読み出してエンコーダ／ドライバ部１５側に出力し、このロゴ画像が表示されるようにし、その後ＯＳが起動してＣＰＵ１６が所定の制御処理を行える状態になった後には、撮像画像の表示に切り替える構成にしたものである。
【００３３】
つまり、本実施例では、電源投入時に、電源投入が正常に行われたこととは切り離して、その内視鏡装置の機種名を含む情報もロゴ画像として表示し、その表示後に本体が起動したところで撮像画像に切り替えて表示する構成としたものである。  
図１１に示すように本実施例の内視鏡装置１Ｅの場合には、第１メモリ１７にはＯＳのソフトウェアを格納しているが、第１ロゴ画像のデータの格納は行っていないで、その格納を不要としている。また、この内視鏡装置１Ｅの機種名を含むロゴ画像のデータは、第２メモリ２２内に格納されている。  
また、この場合には、図８における第１スーパインポーズ部１４を省き、信号処理部１３の出力信号は、第２スーパインポーズ部２３に入力される構成になっている（本実施例では、図１１に示すように１つの第２スーパインポーズ部２３のみであるが、前の実施例等との関係をより分かり易くする為に、序数を付けた第２スーパインポーズ部２３の表記を採用している）。
【００３４】
この場合における動作は、図１２のようになる。  
図１２に示すフローチャートは、図８のフローチャートにおいて、ステップＳ１、Ｓ２′は全く同じであり、次のステップＳ３″では第２スーパインポーズ部２３が第２メモリ２２から読み込むデータが第２ロゴ画像のデータでなく、ロゴ画像のデータに変更されるのみであり、このロゴ画像が表示部２４に表示される。このロゴ画像の表示により、ユーザは、正常に電源が投入されたことと、実際に使用している内視鏡装置１Ｅの機種名等も速やかに確認することができる。  
次のステップＳ４も図８のステップＳ４と全く同じ内容となる。そして、このステップＳ４においては、第２スーパインポーズ部２３は、その第２スーパインポーズ部２３内のタイマが一定時間経過するのを待つ。そして、一定時間が経過までに、ステップＳ５″の処理が完了している。
【００３５】
つまり、このステップＳ５″において、ＣＰＵ１６は、ブートローダを起動済みであり、第２スーパインポーズ部２３には信号処理部１３から撮像画像が入力されている。そして、次のステップＳ６″の処理が行われる。  
このステップＳ６″において第２スーパインポーズ部２３は、ロゴ画像の出力をやめ、信号処理部１３からの撮像画像を、表示駆動部２５を経由して表示部２４に出力する。そして、表示部２４には撮像画像が表示されるようになる。  
本実施例によれば、実施例３の場合よりもスーパインポーズ手段を削減できると共に、より簡単な制御で済む。このため、より低コスト化することも可能になる。つまり、ハードウェアの変更を必要としないで、ソフトウェアの変更のみで簡単に対応することが可能となる。
【００３６】
なお、本実施例の変形例として、第２スーパインポーズ部２３にタイマ機能を設けないで、ＣＰＵ１６から第２スーパインポーズ部２３に信号を送り、この信号を受けて第２スーパインポーズ部２３は、表示部２４に出力していたロゴ画像の表示を停止させるようにしても良い。この変形例の内視鏡装置１Ｆの構成を図１３に示す。この内視鏡装置１Ｆにおいては、第２スーパインポーズ部２３は、タイマ機能を有しない構成である。  
この変形例の構成の場合の動作は図１４のようになる。図１４のフローチャートは、図１２のフローチャートにおいて、ステップＳ１からステップＳ３″までは同じである。また、この場合、第２スーパインポーズ部２３には、信号処理部１３から撮像画像が入力される。  
そして、次のステップＳ１１″においてＣＰＵ１６は、ブートローダを起動する。そして、その起動後、第２スーパインポーズ部２３にロゴ画像の表示を停止させ、撮像画像を表示させる信号を送る。
【００３７】
そして、次のステップＳ１２′において第２スーパインポーズ部２３は、ＣＰＵ１６から上記の信号を受けるのを待つ。  
この信号を受け取ると、次のステップＳ６″に示すように、第２スーパインポーズ部２３は、ロゴ画像の出力をやめ、信号処理部１３から入力される撮像画像を、表示駆動部２５を経由して表示部２４に出力し、表示部２４に撮像画像が表示されるようにする。  
このように動作する本変形例は、実施例４とほぼ同様の効果を有する。  
なお、上述して実施例１〜４において、少なくとも電源が正常に投入されたことを確認できるような所定の情報としてのロゴ画像（具体的には第２ロゴ画像、ロゴ画像）と共に、或いはロゴ画像の代わりに、「起動中」や「しばらくお待ち下さい」等の文字を所定の情報として表示するようにしても良い。
【００３８】
また、ロゴ画像とは異なる画像を所定の情報として表示しても良い。このため、上述した第２メモリ２２にロゴ画像以外の画像データや文字データ等を格納しても良い。  
また、第２スーパインポーズ部２３は、電源が投入された場合、第２メモリ２２に格納された第２ロゴ画像のデータ等、所定の情報を出来るだけ早く読み出して、表示手段としての表示部２４で表示することが望ましいが、少なくともＯＳが起動し、ＣＰＵ１６が第１メモリ１７に格納された第１ロゴ画像のデータの読み出しを行う等、ＣＰＵ１６の制御下で、表示部２４に情報を最初に表示させる動作が完了する時間より前に行えば良い。
【産業上の利用可能性】
【００３９】
パイプ内部等を内視鏡検査する内視鏡装置の電源を投入した場合、表示手段に対してＯＳの起動前のロゴ画像等の所定の情報の表示と、ＯＳの起動後の表示を切り替えて行うことができるようにしている。
【図面の簡単な説明】
【００４０】
【図１】本発明の実施例１に係る内視鏡装置の全体構成を示すブロック図。
【図２】実施例１における電源投入により撮像画像が表示されるまでの一連の処理内容を示すフローチャート図。
【図３】電源投入により表示部に順次表示される画像を示す図。
【図４】電源投入後における本実施例の概略の動作を示すタイミング図。
【図５】本発明の実施例２に係る内視鏡装置の全体構成を示すブロック図。
【図６】実施例２における電源投入により撮像画像が表示されるまでの一連の処理内容を示すフローチャート図。
【図７】本発明の実施例３に係る内視鏡装置の全体構成を示すブロック図。
【図８】実施例３における電源投入により撮像画像が表示されるまでの一連の処理内容を示すフローチャート図。
【図９】変形例に係る内視鏡装置の全体構成を示すブロック図。
【図１０】変形例における電源投入により撮像画像が表示されるまでの一連の処理内容の一部を示すフローチャート図。
【図１１】本発明の実施例４に係る内視鏡装置の全体構成を示すブロック図。
【図１２】実施例４における電源投入により撮像画像が表示されるまでの一連の処理内容を示すフローチャート図。
【図１３】変形例に係る内視鏡装置の全体構成を示すブロック図。
【図１４】変形例における電源投入により撮像画像が表示されるまでの一連の処理内容の一部を示すフローチャート図。
【符号の説明】
【００４１】
１…内視鏡装置
２…本体ユニット
３…表示ユニット
４…撮像対象物
６…挿入部
１２…ＣＣＤ
１３…信号処理部
１４…第１スーパインポーズ部
１５…エンコーダ／ドライバ部
１６…ＣＰＵ
１７…第１メモリ
１８…電源部
１９…電源スイッチ
２１…デコーダ部
２２…第２メモリ
２３…第２スーパインポーズ部
２４…表示部
２５…表示駆動部
【図１】
2006334244.tif 000003
【図２】
2006334244.tif 000004
【図３】
2006334244.tif 000005
【図４】
2006334244.tif 000006
【図５】
2006334244.tif 000007
【図６】
2006334244.tif 000008
【図７】
2006334244.tif 000009
【図８】
2006334244.tif 000010
【図９】
2006334244.tif 000011
【図１０】
2006334244.tif 000012
【図１１】
2006334244.tif 000013
【図１２】
2006334244.tif 000014
【図１３】
2006334244.tif 000015
【図１４】
2006334244.tif 000016